(57)【要約】【課題】  使用を中断するとき他の器物を使わずに容易に自立させることができ、残り少ない汁物を最後まで掬い取ることもでき、さらに、収納も容易なお玉を提供する。【解決手段】  椀部縁（１１０）の一部を直線状にする。また、椀部（１００）と柄部（２００）は固定したり、自由に角度が変えられたり、離脱することも可能にする。さらに、引き金（７００）を引くことで留め金（６００）がはずれ柄部（２００）を途中で折り返すことができる関節（５００）を設け、柄部上端の円形フック（３００）を足として自立するお玉であることを特徴とする。【選択図】図１
2009285431.tif 000002
【特許請求の範囲】
【請求項１】
柄部（２００）を途中で折り返すことができ、取っ手（８００）の末端に装着した円形フック（３００）を足として、椀部（１００）を中空に浮かせたまま自立するお玉。
【請求項２】
請求項１のお玉と同じ柄部（２００）を持つ器具。
【請求項３】
（ア）  椀部（１００）と柄部（２００）を一定の角度で固定した状態（従来のお玉の        状態）
（イ）  椀部（１００）が柄部（２００）に対し自由に動く状態
（ウ）  椀部（１００）が柄部（２００）から離脱した状態
以上の３つの状態への移行を可能とする、柄部（２００）と椀部（１００）の接合の構造を持つお玉。
【請求項４】
椀部縁（１１０）の円弧の一部に直線状部分（１１１）を設けたお玉。
【請求項５】
請求項３のお玉の椀部（１００）と同じ接合部を持ち、請求項３の柄部（２００）に挿げ替えて装着できる、フライ返しの頭部。
【請求項６】
請求項３のお玉の椀部（１００）と同じ接合部を持ち、請求項３の柄部（２００）に挿げ替えて装着できる、お玉の椀部ほどの大きさのフライパン。
【発明の詳細な説明】
【技術分野】
【０００１】  本発明は、着脱自由な非円形の椀部を持ち、柄部を途中で反転させて自立することができるお玉に関するものである。
【背景技術】
【０００２】  従来、調理器具のお玉は、次のハ、ヒ、フおよびヘの４つの特徴を持っていた。
（特徴ハ）なにかに寄りかかることなく自立させることが難しい。たとえ、縦に自立さ  せる構造を与えたとしても、縦長の形状であることから重心の位置が高く倒れやすい。
（特徴ヒ）お玉の椀部の縁と柄が同一平面内にない。すなわち、側面から見たとき椀部  の縁と柄が一直線状にならず、両者の接合部で折れ曲がっている。
（特徴フ）お玉の椀部と柄は分離不能な一体化した器具である。
（特徴ヘ）お玉の椀部の縁が円形である。
【発明の開示】
【発明が解決しようとしている課題】
【０００３】  これらのハからヘの４つ特徴には、それぞれ次のカ、キ、クおよびケの欠点があった。
【０００４】（欠点カ）特徴ハにより、調理中お玉の使用を中断する場合、置き場所に困った。そのため、加熱中の鍋にそのまま入れておく、小皿を用意しお玉の椀部のみを載せた状態で柄部を横たえる、専用のお玉立てを用いそこに立てかけるなどの対処がなされた。しかし、加熱中の鍋にそのまま入れておく方法は樹脂部分が熱で変形するおそれがある。小皿や専用のお玉立てを用いる方法は余分な器具を用いることとなり不便である。それぞれ欠点を補うには不十分であった。尚、お玉が自立できるような足の部分を別に取り付ける方法は、大きな突出部を付け加えることとなり、調理中の円滑な動作の妨げとなるので不便である。さらに、お玉が縦長の形状であることから重心の位置が高くなり倒れやすい。包丁や加熱中の鍋などが存在する使用中の台所において、転倒しやすい物品を置くことは、解決法として適切ではない。
【０００５】（欠点キ）特徴ヒにより、柄を持って狭い場所から引き出す場合、他の物品に引っかかり不便であった。
【０００６】（欠点ク）特徴フにより、収納には場所をとり、不便であった。
【０００７】  （欠点ケ）特徴ヘにより、鍋底に残り少なくなった汁物を、鍋底の形状に沿わせて最後まで掬い取ることが難しかった。そのために、鍋を直接持ち上げ、傾けて汁を器に注ぐなどの方法により対処がなされた。しかし、鍋自身が大きい場合、操作が容易ではなく、汁をこぼす危険が大きかった。さらに、少なくなった汁物に具が存在する場合、器に注ぐ液体の滑らかな流れを阻害するとともに、こびりついていた具自身が不意に器の中に飛び込むなど、汁をこぼす危険はより大きかった。
【０００８】  本発明は、以上カ、キ、クおよびケの欠点を補うためのお玉である。
【課題を解決するための手段】
【０００９】  上記の課題を解決するために、お玉に以下のサ、シ、スおよびセの構造を与える。
【００１０】（構造サ）お玉の柄部（２００）の途中に、弾性のある引き金（７００）を引くことで、留め金（６００）がはずれ、柄部（２００）を途中で折り返すことができる関節（５００）を設ける。柄部（２００）のうち、関節（５００）を境目として、取っ手（８００）に続く側を柄部上腕（２２０）、椀部（１００）と連結する側を柄部前腕（２１０）と呼ぶこととする。折り曲げた関節（５００）の間に存在する小さな突起物である引き金（７００）の存在により、柄部上腕（２２０）と柄部前腕（２１０）のなす角度は一定の鋭角以下にならないようする。また、関節（５００）伸ばし、柄部上腕（２２０）と柄部前腕（２１０）を一直線上にすれば自然に留め金（６００）がかけられ、元の状態に固定されるようにする。以上、お玉の柄部（２００）に関する構造。
【００１１】（構造シ）柄部上腕（２２０）の上端に円形フック（３００）を設ける。柄部上腕（２２０）と円形フック（３００）の接合に関して、次の２つの状態に随時移行できる構造を与える。
（状態タ）柄部上腕（２２０）に対し、円形フック（３００）は自由に前後に倒すことができる状態。
（状態チ）柄部上腕（２２０）に対し、円形フック（３００）が一定の角度で頑強に固定された状態。
この状態チにおいては、柄部上腕（２２０）と柄部前腕（２１０）を最も曲げた状態で、円形フック（３００）の円周を水平面に接地させたとき、円形フック（３００）を除くすべての部分の重心の作用線が、円形フック（３００）の円周の中心付近を貫くように設定する。以上、柄部上腕（２２０）と円形フック（３００）の接合に関する構造。
【００１２】（構造ス）次の３つの状態に随時移行できる構造を与える。
（状態ア）椀部（１００）と柄部（２００）が一定の角度で固定された状態。すなわち、従来のお玉の状態。
（状態イ）椀部（１００）と柄部（２００）を固定せず、自由に角度が変えられる状態。
（状態ウ）椀部（１００）が柄部（２００）から離脱した状態。
以上の３つの状態への移行を可能とする、椀部（１００）と柄部（２００）の接合に関する構造。
【００１３】（構造セ）椀部縁（１１０）の円弧の一部に直線状部分（１１１）を設ける。
【００１４】  本発明は、以上のサ、シ、スおよびセの構造を持つお玉である。
【発明の効果】
【００１５】  構造サとシによる効果は以下の通りである。調理中、どこを鷲掴みにしても安定して力が入り操作が容易になるように、円形フック（３００）は、一定の角度で固定された状態（状態チ）にしておく。この状態からお玉の使用を中断する場合、柄部（２００）の途中にある引き金（７００）を引くことで留め金（６００）がはずれ、柄部前腕（２１０）から先が重力により垂れ下がる。その状態から円形フック（３００）を椀部（１００）の下側に来るように倒しながら、円形フック（３００）の円周を水平面に接地させる。この際、柄部前腕（２１０）に引き金（７００）が接触することにより、柄部前腕（２１０）と柄部上腕（２２０）のなす角度は一定の鋭角以下にはならない。この状態でお玉のどの支点におけるモーメントも釣り合い、円形フック（３００）を接地部として、椀部（１００）を中空に浮かせたまま、お玉は自立する。この状態においては、全体の重心は低い位置にあることから倒れにくく安定している。お玉の使用状態からお玉の自立状態への移行は片手のみで行うことができる。したがて、もう片方の手は鍋蓋や調味料の小瓶などを持ったまま、行うことができ、円滑な調理作業を損なうことがない。
【００１６】  また逆に、自立状態から使用状態に戻るには、取っ手（８００）を持ち上げ、柄部上腕（２２０）と柄部前腕（２１０）が「く」の字に折れた状態で、椀部（１００）の背をなべ底などに押し付ければよい。柄部（２００）が一直線上に伸びた状態に固定される。この状態への移行も片手のみで行うことができる。調理後、洗い終えたこのお玉は、柄部上腕（２２０）に対し、円形フック（３００）は自由に前後に倒すことができる状態（状態タ）で、通常のお玉と同様に壁などにかけておくことができる。
【００１７】  これらの効果により、使用を中断したお玉を、加熱中の鍋の中に入れたままにしたり、別の器具を用いて立てかけておいたりする必要がない。さらに、この構造においては、通常のお玉の取っ手（８００）にあたる部分を脚として兼用しているので、別に取り付けた脚など、調理中の円滑な動作の妨げとなるような大きな突出部を持たない。構造サとシによる効果は、上記のごとく欠点カを補うものである。
【００１８】  構造サとシがもたらす効果は、調理器具のみにとどまらない。椀部（１００）の代わりに別の頭部を与えることによって、いろいろな器具への応用が期待できる。柄を持った操作と頭部を浮かせた自立状態とを片手で自由に移行できる利便性は、さまざまに活用できる。水質調査用器具、水生小動物観察器具、火や薬品を使う理科実験器具など、考えられる用途の有効性は多分野に及ぶ。
【００１９】  構造スによる効果は以下の通りである。お玉を収納する際、上記の状態イにしておけばよい。椀部（１００）が柄部（２００）に対し自由な角度を得られ、柄を持って引き出しても他の物品の間をすり抜けやすくなる。より狭い場所に収納する場合は、状態ウにしておけばより小さなスペースも利用でき便利である。使用時には状態アにもどせばよい。構造スによる効果は、上記のごとく欠点キと欠点クを補うものである。
【００２０】  構造スによる効果は以下のようにも応用できる。構造スと同じ接合部を持った、お玉ほどの大きさの蓋付きフライパン（または鍋）を作れば、椀部（１００）と挿げ替えて使用できる。この新しい調理器具は、柄部（２００）を持ったまま揺らしながら、ごく少量の食材を火で焙る調理に適する。すなわち、プディングにかけるカラメルソース作りや、少量の胡麻や豆を炒る道具として最適である。さらに、柄部（２００）が構造サとスを併せ持つならば、材料または調味料の投入時や放置して熱を冷ますときなどに自立状態を活用することができる。
【００２１】  構造スを応用した効果は以下の通りである。調理器具の中には、フライ返しなど柄の部がお玉と同様の形状を持ち、頭部のみ異なるものがいくつかある。図２８のように、これら調理器具の頭部に本発明と同じ接合部を与えれば、同じ柄部（２００）を共有し頭部のみを挿げ替え、使うことができる。同様の柄を持つ調理器具の頭部にすべて同じ接合部を与えれば、一本の柄部（２００）でまかなうことができ持ち運びに大変便利である。キャンプ用品などに適切である。
【００２２】  構造セによる効果は以下の通りである。鍋底に残り少なくなった汁物を掬い取るとき、次のようにすればよい。まず、鍋底を傾けた状態にする。そして、鍋底に椀部縁（１１０）の直線状部分（１１１）を、鍋の側面に椀部縁（１１０）の曲線部分をそれぞれ密着させ、図４のごとく、具とあわせ汁物を掬い取ればよい。構造セによる効果は、上記のごとく欠点ケを補うものである。
【発明を実施するための最良の形態】
【００２３】  以下、本発明を実施するための最良の形態について説明する。【００２４】  構造サを与える最良の形態は以下の通りである（図５から９までを参照）。お玉の柄部（２００）の途中に、自由に曲げたり伸ばしたりできる関節（５００）を設ける。柄部（２００）のうち、関節（５００）を境目として、取っ手（８００）に続く側を柄部上腕（２２０）、椀部（１００）と連結する側を柄部前腕（２１０）と呼ぶこととする。柄部上腕（２２０）には前後２つのリングからなる留め金（６００）を通す。前方リング（６０２）は柄部上腕（２２０）と柄部前腕（２１０）を束ねた太さをつつむ大きさで、前端に受け板（６０１）を設ける。前方リング（６０２）には、柄部前腕上端（２１１）と柄部上腕（２２０）を束ねることで、柄部上腕（２２０）と柄部前腕（２１０）を一直線上に固定する役割を与える。受け板（６０１）は関節（５００）を直線状に延ばす際、柄部前腕上端（２１１）を受け止め、押しのけられることで、留め金（６００）全体を取っ手（８００）の方へ押し戻す力を伝える役割を持つ。後方リング（６０３）は柄部上腕（２２０）の太さのみをつつむ大きさで、柄部上腕（２２０）に沿ってのみ留め金（６００）全体が動くように誘導する役割を与える。後方リング（６０３）の背後を弾性金属でできた引き金（７００）の一端と連結する。引き金（７００）の他端は柄部上腕（２２０）とともに樹脂でできた取っ手（８００）の中に束ねて固定する。【００２５】  この構造において、引き金（７００）を引けば、柄部前腕上端（２１１）を拘束していた留め金（６００）がはずれ、柄部前腕（２１０）から先が重力により垂れ下がる。逆に関節（５００）をまっすぐに伸ばそうとすれば、柄部前腕上端（２１１）が留め金（６００）の受け板（６０１）を押し、留め金（６００）に連結した引き金（７００）が弾性に逆らい押し戻される。これにより、カッチと音がして柄部前腕上端（２１１）が前方リング（６０２）の中に収まり、柄部前腕上端（２１１）と柄部上腕（２２０）が束ねられることで、柄部（２００）が一直線上に伸びた状態で固定させることができる。【００２６】  構造シを与える最良の形態は以下の通りである（図１０から１５までを参照）。柄部上腕（２２０）の取っ手（８００）部分の上端に穴を貫く。円形フック（３００）の弧の一部を回転軸（３０１）とし、その穴に通す。回転軸（３０１）の断面は円ではなく競技路（縦長の円）状にする。柄部上腕（２２０）の上端の穴は円形の穴（８０１）と競技路形の穴（８０２）が組み合わさった鍵穴状にする。回転軸（３０１）が円形の穴（８０１）にあれば自由に回転でき（図１５参照）、競技路形の穴（８０２）に移れば円形フック（３００）と柄部上腕（２２０）の角度が固定される（図１４参照）。回転軸の長さ（３０３）は穴の長さ（８０４）より長くしておく（図１２、１３参照）。そして、回転軸（３０１）の一端に突起（３０２）を設け、競技路形の穴（８０２）の一端には突起（３０２）を受け止める窪み（８０３）を設ける。突起（３０２）が窪み（８０３）に入り込んだ状態（図１３参照）にあれば、回転軸（３０１）は競技路形の穴（８０２）の方に固定され、円形の穴（８０１）���方に移ることができない。これにより、柄部上腕（２２０）に対し、円形フック（３００）が一定の角度で固定された状態（状態チ、図１４参照）を獲得できる。この角度は、柄部上腕（２２０）と柄部前腕（２１０）を最も曲げた状態で、円形フック（３００）の円周を水平面に接地させたとき、円形フック（３００）を除くすべて部分の重心の作用線が、円形フック（３００）の円周の中心付近を貫くように設定する。この際、椀部縁（１１０）を含む平面が水平になるようにも設定する。また、回転軸（３０１）を競技路形の穴（８０２）の中を横滑りさせ、突起（３０２）が窪み（８０３）から出た状態（図１２参照）にすれば、回転軸（３０１）は自由に回転できる円形の穴（８０１）の方に移動することができる。これにより、柄部上腕（２２０）に対し、円形フック（３００）は自由に前後に倒すことができる状態（状態タ、図１５参照）を獲得することができる。【００２７】  回転軸（３０１）の競技路形の穴（８０２）への固定の仕方に関して、次の実施例も可能である。回転軸の長さ（３０３）と穴の長さ（８０４）をほぼ同じにして、突起（３０２）の代わりに板ばね（３０４）を用いてもよい。回転軸（３０１）に力を加えて競技路形の穴（８０２）に移動させれば、窪み（８０３）に板ばね（３０４）が入り込み、自然に固定される。（図１６、１７参照）【００２８】  構造スを与える最良の形態は以下の通りである（図１８から２９までを参照）。椀部縁（１１０）の一部に突出部（１０３）を設け、長方形の穴（１０４）を開ける。突出部（１０３）の縁には「コ」の字の形になるように直角の折り目（１０５）を設ける。一方、柄部前腕（２１０）の先端には長方形の板（２１３）を設ける。長方形の板（２１３）の下縁（２１４）の幅は長方形の穴（１０４）の対角線の長さより若干短い程度にする。すなわち、長方形の板（２１３）は、向きを選ぶことでしか長方形の穴（１０４）を通り抜けることができない大きさにしておく。さらに、長方形の板（２１３）から続く、首に当たる部分の幅は柄部前腕（２１０）の直線部分の幅より細くし、くびれ（２１５）を設ける。このくびれ（２１５）は、椀部（１００）を突出部（１０３）の「コ」の字形の縁で受け止め固定するためのものである。柄部前腕（２１０）には押さえ板（４０１）の付いた椀部固定リング（４００）を装着する。この構造における椀部（１００）の柄部前腕（２１０）への装着の仕方を図２６で説明する。いま、椀部（１００）の長方形の穴（１０４）に柄部前腕（２１０）の長方形の板（２１３）を傾けて通す（図２６のａ、ｂ参照）。次に、長方形の穴（１０４）と長方形の板（２１３）を平行にし、突出部（１０３）の「コ」の字形の縁に柄部前腕（２１０）のくびれ（２１５）を収める。そして最後に、椀部固定リング（４００）を下ろして、押さえ板（４０１）で突出部（１０３）を押さえた状態にすればよい（図２６のｃ参照）。取り外す場合は、上記の手順の逆をたどればよい。また、その途中過程の図２６のｂの状態でとどめれば状態イ（図２７参照）が得られる。長方形の板（２１３）は特別な向きと角度を選んでのみ長方形の穴（１０４）を通り抜けることができ、椀部（１００）と柄部（２００）を持って人為的に操作しない限り、自然に椀部（１００）が柄部前腕（２１０）から離脱することはない。【００２９】  構造セを与える最良の形態は以下の通りである（図１、１８、１９を参照）。曲面の断面は曲線であるが、平面の断面は直線となる。これを利用し、椀部（１００）の縁の近くの曲面に、一部平らな部分（１０２）を設ける。すると、平らな部分（１０２）にできる椀部縁（１１０）は直線状部分（１１１）となる。多くの鍋が、底は平面でそれに続く側面は曲線でできている。鍋底に残り少なくなった汁物を掬い取るとき、鍋底を傾けた状態で、鍋底に椀部縁（１１０）の直線状部分（１１１）を、鍋の側面に椀部縁（１１０）の曲線部分をそれぞれ密着させ、具とあわせ汁物を掬い取ればよい。お玉を鍋の隅にあてがう角度を調節すれば、最も密着した状態が得られる。
【図面の簡単な説明】
【００３０】
【図１】本発明の自立時における斜視図である。（網掛け部分は平らな部分を表す。）
【図２】本発明の使用時における斜視図である。（網掛け部分は平らな部分を表す。）
【図３】本発明の正面図である。
【図４】本発明の構造セによる効果を表した図である。（点線は透視された鍋を表す。）
【図５】本発明の構造サの実施例の斜視図である。（実線から点線への移行は省略を表す。）
【図６】本発明の構造サの実施例の分解図である。（点線は関節５００を表し、矢印は装着の場所を表す。また、実線から点線への移行は省略を表す。）
【図７】本発明の構造サの実施例の側面図である。（実線から点線への移行は省略を表す。）
【図８】本発明の構造サの実施例の底面図である。（実線から点線への移行は省略を表す。）
【図９】本発明の構造サの実施例の平面図である。（実線から点線への移行は省略を表す。）
【図１０】本発明の構造シの実施例を表す、円形フック（３００）の回転軸（３０１）付近を単独で示した斜視図である。（点線は透視を表し、実線から点線への移行は省略を表す。）
【図１１】本発明の構造シの実施例を表す、取っ手（８００）の末端付近を単独で示した斜視図である。（点線は透視を表し、実線から点線への移行は省略を表す。）
【図１２】本発明の構造シの実施例を表す、突起（３０２）が窪み（８０３）から出た状態の正面図である。（回転軸（３０１）の透視は一点鎖線で表し、その他の透視は点線で表す。実線から点線への移行は省略を表す。）
【図１３】本発明の構造シの実施例を表す、突起（３０２）が窪み（８０３）に入った状態の正面図である。（回転軸（３０１）の透視は一点鎖線で表し、その他の透視は点線で表す。実線から点線への移行は省略を表す。）
【図１４】本発明の構造シの実施例を表す、状態チの左側面図である。ｂは柄部上腕（２２０）末端を表す。（点線は円形フック（３００）の透視を表し、実線から点線への移行は省略を表す。）
【図１５】本発明の構造シの実施例を表す、状態タの左側面図である。ｂは柄部上腕（２２０）末端を表す。（点線は円形フック（３００）の透視を表し、実線から点線への移行は省略を表す。）
【図１６】本発明の構造シの応用例を表す、円形フック（３００）の回転軸（３０１）付近の斜視図である。（点線は透視を表し、実線から点線への移行は省略を表す。）
【図１７】本発明の構造シの応用例を表す、板ばね（３０４）が窪み（８０３）に入った状態の正面図である。（回転軸（３０１）の透視は一点鎖線で表し、その他の透視は点線で表す。実線から点線への移行は省略を表す。）
【図１８】本発明の構造スとセの実施例を表す、椀部（１００）の後方からの斜視図である。（網掛け部分は平らな部分を表す。）
【図１９】本発明の構造スとセの実施例を表す、椀部（１００）の前方からの斜視図である。（網掛け部分は平らな部分を表す。）
【図２０】本発明の構造スの実施例を表す、椀部（１００）の底面図である。
【図２１】本発明の構造スの実施例を表す、椀部（１００）の平面図である。
【図２２】本発明の構造スの実施例を表す、柄部前腕（２１０）の先端部の斜視図である。（実線から点線への移行は省略を表す。）
【図２３】本発明の構造スの実施例を表す、柄部前腕（２１０）の先端部の平面図である。（実線から点線への移行は省略を表す。）
【図２４】本発明の構造スの実施例を表す、柄部前腕（２１０）の先端部の底面図である。（実線から点線への移行は省略を表す。）
【図２５】本発明の構造スの実施例を表す、柄部前腕（２１０）の先端部の側面図である。（実線から点線への移行は省略を表す。）
【図２６】本発明の構造スの実施例における、椀部（１００）を装着する手順を表す図である。ａ→ｂ→ｃの順で装着。ａは斜視図、ｂとｃは側面図である。（点線は椀部（１００）突出部（１０３）の透視を表し、実線から点線への移行は省略を表す。）
【図２７】本発明の構造スの実施例における、状態テの斜視図である。（実線から点線への移行は省略を表す。）
【図２８】本発明の構造スの実施例と同じ接合部を持つ、フライ返しの頭部の斜視図である。
【図２９】本発明の構造スの実施例と同じ接合部を持つ、蓋付き小型フライパンの斜視図である。
【符号の説明】
【００３１】１００椀部  １１０椀部縁  １１１直線状部分  １０２平らな部分  １０３突出部  １０４長方形の穴  １０５直角の折り目  ２００柄部  ２１０柄部前腕  ２１１柄部前腕上端  ２１３長方形の板  ２１４下縁  ２１５くびれ  ２２０柄部上腕  ３００円形フック  ３０１回転軸  ３０２突起  ３０３回転軸の長さ  ３０４板ばね  ４００椀部固定リング  ４０１押さえ板  ５００関節  ６００留め金  ６０１受け板  ６０２前方リング  ６０３後方リング  ７００引き金  ８００取っ手  ８０１円形の穴  ８０２競技路形の穴  ８０３窪み  ８０４穴の長さ
【図１】
2009285431.tif 000003
【図２】
2009285431.tif 000004
【図３】
2009285431.tif 000005
【図４】
2009285431.tif 000006
【図５】
2009285431.tif 000007
【図６】
2009285431.tif 000008
【図７】
2009285431.tif 000009
【図８】
2009285431.tif 000010
【図９】
2009285431.tif 000011
【図１０】
2009285431.tif 000012
【図１１】
2009285431.tif 000013
【図１２】
2009285431.tif 000014
【図１３】
2009285431.tif 000015
【図１４】
2009285431.tif 000016
【図１５】
2009285431.tif 000017
【図１６】
2009285431.tif 000018
【図１７】
2009285431.tif 000019
【図１８】
2009285431.tif 000020
【図１９】
2009285431.tif 000021
【図２０】
2009285431.tif 000022
【図２１】
2009285431.tif 000023
【図２２】
2009285431.tif 000024
【図２３】
2009285431.tif 000025
【図２４】
2009285431.tif 000026
【図２５】
2009285431.tif 000027
【図２６】
2009285431.tif 000028
【図２７】
2009285431.tif 000029
【図２８】
2009285431.tif 000030
【図２９】
2009285431.tif 000031